【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
局におけるワイヤレス通信のための方法であって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別することと、
第２の局から受信された要請フレームを識別することと、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定すること、前記１つまたは複数のＭＰＤＵは、前記要請フレームによって要請されるＭＰＤＵの第１のタイプを含み、前記ＭＰＤＵの第１のタイプは、前記複数の制御パラメータのうちの１つまたは複数の制御パラメータを除外したものである、と、
前記ＰＰＤＵ中に前記ＭＰＤＵの第１のタイプを含めることの後に前記１つまたは複数の制御パラメータを備えるＭＰＤＵの第２のタイプのための十分なリソースを有するか否かに少なくとも部分的に基づいて、前記１つまたは複数のＭＰＤＵのうちの少なくとも１つにおいて前記複数の制御パラメータのうちの前記１つまたは複数の制御パラメータを含むか否かを決定すること、ここにおいて、前記ＭＰＤＵの第２のタイプは、前記要請フレームによって要請されない、と、
前記第２の局に、前記１つまたは複数のＭＰＤＵを備える前記ＰＰＤＵを送信することと
を備える、方法。
【請求項２】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項１に記載の方法。
【請求項３】
前記ＰＰＤＵの各ＰＰＤＵと、少なくとも１つの他のＰＰＤＵの１つまたは複数のＰＰＤＵとは、周波数、または空間、または時間、またはそれらの組み合わせ、のうちの少なくとも１つにおいて直交であるリソース上で送られる、請求項２に記載の方法。
【請求項４】
前記ＭＰＤＵの第２のタイプは、制御フィールドを含み、前記ＭＰＤＵの第１のタイプは、前記制御フィールドを除外したものである、請求項１に記載の方法。
【請求項５】
前記制御フィールドは、前記ＰＰＤＵ中の少なくとも１つのワイヤレスローカルエリアネットワーク（ＷＬＡＮ）フレームに含まれる、請求項４に記載の方法。
【請求項６】
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、請求項４に記載の方法。
【請求項７】
前記１つまたは複数の制御パラメータを含むか否かを決定することは、
前記制御フィールドを含む前記ＭＰＤＵの第２のタイプのうちの少なくとも１つを含むと決定することと、
前記ＭＰＤＵの第２のタイプのうちの前記少なくとも１つの前記制御フィールドが前記複数の制御パラメータのうちの少なくとも他の１つを含めることの後に前記送信電力ヘッドルームパラメータのために十分なリソースを備えるか否かを決定すること
を備える、請求項４に記載の方法。
【請求項８】
前記局において前記１つまたは複数の制御パラメータの優先順位を決定すること
をさらに備える、請求項７に記載の方法。
【請求項９】
前記優先順位は、前記要請フレームのタイプに基づいている、請求項８に記載の方法。
【請求項１０】
前記１つまたは複数の制御パラメータの前記優先順位を決定することは、
前記ＰＰＤＵの制御情報において前記少なくとも１つの送信電力ヘッドルームパラメータを送信するための要求または前記優先順位のうちの少なくとも１つを、前記第２の局から受信すること
を備える、請求項７に記載の方法。
【請求項１１】
前記１つまたは複数の制御パラメータは、前記ＰＰＤＵに含まれる制御フィールドに含まれる、請求項１に記載の方法。
【請求項１２】
前記送信電力ヘッドルームパラメータと、前記複数の制御パラメータのうちの少なくとも１つの他のパラメータとは、前記制御フィールドの同じ制御情報サブフィールドにおいて送信される、請求項１１に記載の方法。
【請求項１３】
前記送信電力ヘッドルームパラメータは、前記制御フィールドの第１の制御情報サブフィールドにおいて送信され、前記複数の制御パラメータのうちの少なくとも１つの他のパラメータは、前記制御フィールドの第２の制御情報サブフィールドにおいて送信される、請求項１１に記載の方法。
【請求項１４】
前記複数の制御パラメータのうちの少なくとも１つにおける変更が識別され、前記制御フィールドは、前記局においてアップリンクマルチユーザモードがディセーブルにされるか否かの第１のインジケーション、または前記局においてＷＬＡＮ通信のために使用可能な送信空間ストリームの最大数の第２のインジケーション、またはそれらの組み合わせ、のうちの少なくとも１つを備える、請求項１１に記載の方法。
【請求項１５】
前記送信電力ヘッドルームパラメータは、トリガベースのＰＰＤＵの現在の変調およびコーディング方式（ＭＣＳ）の最小送信電力が前記局に到達するか否かのインジケーションを備える、請求項１１に記載の方法。
【請求項１６】
前記送信電力ヘッドルームパラメータは、前記局の最大送信電力とＷＬＡＮフレームのために前記局によって使用される送信電力との間の差のインジケーションを備える、請求項１１に記載の方法。
【請求項１７】
前記制御フィールドは、前記局の最大送信電力がトリガベースのＰＰＤＵの後続の送信を変動させるだろうか否かのインジケーションを備える、請求項１１に記載の方法。
【請求項１８】
前記ＰＰＤＵで搬送される前記送信電力ヘッドルームパラメータを備える制御フィールドの制御識別サブフィールドにおいて、前記局が即時肯定応答を搬送するトリガベースのＰＰＤＵのために要請されることを予測する第１のモード、または前記局が前記局の前記送信パラメータを識別する第２のモード、または前記局が前記局の前記受信パラメータを識別する第３のモード、または前記局が前記局の前記送信電力ヘッドルームパラメータを識別する第４のモード、またはそれらの組み合わせ、から選択される少なくとも１つのモードで前記制御フィールドが構成されるというインジケーションを送信すること
をさらに備える、請求項１に記載の方法。
【請求項１９】
前記１つまたは複数のＷＬＡＮフレームが前記要請フレームへの応答として送られるトリガベースのＰＰＤＵで搬送されるとき、前記１つまたは複数のＷＬＡＮフレームに含めるための優先度を前記送信電力ヘッドルームが有すると決定すること
をさらに備える、請求項１８に記載の方法。
【請求項２０】
局におけるワイヤレス通信のためのデバイスであって、
プロセッサと、
前記プロセッサと電気通信しているメモリと、
前記メモリ中に記憶された命令と
を備え、前記命令は、前記デバイスに、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別することと、
第２の局から受信された要請フレームを識別すること、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定すること、前記１つまたは複数のＭＰＤＵは、前記要請フレームによって要請されるＭＰＤＵの第１のタイプを含み、前記ＭＰＤＵの第１のタイプは、前記複数の制御パラメータのうちの１つまたは複数の制御パラメータを除外したものである、と、
前記ＰＰＤＵ中に前記ＭＰＤＵの第１のタイプを含めることの後に前記１つまたは複数の制御パラメータを備えるＭＰＤＵの第２のタイプのための十分なリソースを有するか否かに少なくとも部分的に基づいて、前記１つまたは複数のＭＰＤＵのうちの少なくとも１つにおいて前記複数の制御パラメータのうちの前記１つまたは複数の制御パラメータを含むか否かを決定すること、ここにおいて、前記ＭＰＤＵの第２のタイプは、前記要請フレームによって要請されない、と、
前記第２の局に、前記１つまたは複数のＭＰＤＵを備える前記ＰＰＤＵを送信することと
を行わせるように前記プロセッサによって実行可能である、デバイス。
【請求項２１】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項２０に記載のデバイス。
【請求項２２】
前記ＰＰＤＵの各ＰＰＤＵと、少なくとも１つの他のＰＰＤＵの１つまたは複数のＰＰＤＵとは、周波数、または空間、または時間、またはそれらの組み合わせ、のうちの少なくとも１つにおいて直交であるリソース上で送られる、請求項２１に記載のデバイス。
【請求項２３】
前記ＭＰＤＵの第２のタイプは、制御フィールドを含み、前記ＭＰＤＵの第１のタイプは、前記制御フィールドを除外したものである、請求項２０に記載のデバイス。
【請求項２４】
前記制御フィールドは、前記ＰＰＤＵ中の少なくとも１つのワイヤレスローカルエリアネットワーク（ＷＬＡＮ）フレームに含まれる、請求項２３に記載のデバイス。
【請求項２５】
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、請求項２３に記載のデバイス。
【請求項２６】
前記１つまたは複数の制御パラメータを含むか否かを決定する前記命令は、前記デバイスに、
前記制御フィールドを含む前記ＭＰＤＵの第２のタイプのうちの少なくとも１つを含むと決定することと、
前記ＭＰＤＵの第２のタイプのうちの前記少なくとも１つの前記制御フィールドが前記複数の制御パラメータのうちの少なくとも他の１つを含めることの後に前記送信電力ヘッドルームパラメータのために十分なリソースを備えるか否かを決定することと
を行わせるように前記プロセッサによってさらに実行可能である、請求項２３に記載のデバイス。
【請求項２７】
前記デバイスに、
前記局における前記複数の制御パラメータ中の前記１つまたは複数の制御パラメータの優先順位を決定することを行わせるように前記プロセッサによってさらに実行可能である、請求項２６に記載のデバイス。
【請求項２８】
前記優先順位は、前記要請フレームのタイプに基づいている、請求項２７に記載のデバイス。
【請求項２９】
前記デバイスに、
前記ＰＰＤＵの制御情報において前記少なくとも１つの送信電力ヘッドルームパラメータを送信するための要求または前記優先順位のうちの少なくとも１つを、前記第２の局から受信することを行わせるように前記プロセッサによってさらに実行可能である、請求項２６に記載のデバイス。
【請求項３０】
前記１つまたは複数の制御パラメータは、前記ＰＰＤＵに含まれる制御フィールドに含まれる、請求項２０に記載のデバイス。
【請求項３１】
前記送信電力ヘッドルームパラメータと、前記複数の制御パラメータのうちの少なくとも１つの他のパラメータとは、前記制御フィールドの同じ制御情報サブフィールドにおいて送信される、請求項３０に記載のデバイス。
【請求項３２】
前記送信電力ヘッドルームパラメータは、前記制御フィールドの第１の制御情報サブフィールドにおいて送信され、前記複数の制御パラメータのうちの少なくとも１つの他のパラメータは、前記制御フィールドの第２の制御情報サブフィールドにおいて送信される、請求項３０に記載のデバイス。
【請求項３３】
前記複数の制御パラメータのうちの少なくとも１つにおける変更が識別され、前記制御フィールドは、前記局においてアップリンクマルチユーザモードがディセーブルにされるか否かの第１のインジケーション、または前記局においてＷＬＡＮ通信のために使用可能な送信空間ストリームの最大数の第２のインジケーション、またはそれらの組み合わせ、のうちの少なくとも１つを備える、請求項３０に記載のデバイス。
【請求項３４】
前記送信電力ヘッドルームパラメータは、トリガベースのＰＰＤＵの現在の変調およびコーディング方式（ＭＣＳ）の最小送信電力が前記局に到達するか否かのインジケーションを備える、請求項３０に記載のデバイス。
【請求項３５】
前記送信電力ヘッドルームパラメータは、前記局の最大送信電力とＷＬＡＮフレームのために前記局によって使用される送信電力との間の差のインジケーションを備える、請求項３０に記載のデバイス。
【請求項３６】
前記制御フィールドは、前記局の最大送信電力がトリガベースのＰＰＤＵの後続の送信を変動させるか否かのインジケーションを備える、請求項３０に記載のデバイス。
【請求項３７】
前記デバイスに、
前記ＰＰＤＵで搬送される前記送信電力ヘッドルームパラメータを備える制御フィールドの制御識別サブフィールドにおいて、前記局が即時肯定応答を搬送するトリガベースのＰＰＤＵのために要請されることを予測する第１のモード、または前記局が前記局の前記送信パラメータを識別する第２のモード、または前記局が前記局の前記受信パラメータを識別する第３のモード、または前記局が前記局の前記送信電力ヘッドルームパラメータを識別する第４のモード、またはそれらの組み合わせ、から選択される少なくとも１つのモードで前記制御フィールドが構成されるというインジケーションを送信することを行わせるように前記プロセッサによってさらに実行可能である、請求項２０に記載のデバイス。
【請求項３８】
前記デバイスに、
前記１つまたは複数のＷＬＡＮフレームが前記要請フレームへの応答として送られるトリガベースのＰＰＤＵで搬送されるとき、前記１つまたは複数のＷＬＡＮフレームに含めるための優先度を前記送信電力ヘッドルームが有すると決定することを行わせるように前記プロセッサによってさらに実行可能である、請求項３７に記載のデバイス。
【請求項３９】
局におけるワイヤレス通信のためのデバイスであって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別するための手段と、
第２の局から受信された要請フレームを識別するための手段と、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定するための手段、前記１つまたは複数のＭＰＤＵは、前記要請フレームによって要請されるＭＰＤＵの第１のタイプを含み、前記ＭＰＤＵの第１のタイプは、前記複数の制御パラメータのうちの１つまたは複数の制御パラメータを除外したものである、と、
前記ＰＰＤＵ中に前記ＭＰＤＵの第１のタイプを含めることの後に前記１つまたは複数の制御パラメータを備えるＭＰＤＵの第２のタイプのための十分なリソースを有するか否かに少なくとも部分的に基づいて、前記１つまたは複数のＭＰＤＵのうちの少なくとも１つにおいて前記複数の制御パラメータのうちの前記１つまたは複数の制御パラメータを含むか否かを決定するための手段、ここにおいて、前記ＭＰＤＵの第２のタイプは、前記要請フレームによって要請されない、と、
前記第２の局に、前記１つまたは複数のＭＰＤＵを備える前記ＰＰＤＵを送信するための手段と
を備える、デバイス。
【請求項４０】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項３９に記載のデバイス。
【請求項４１】
前記ＰＰＤＵの各ＰＰＤＵと、少なくとも１つの他のＰＰＤＵの１つまたは複数のＰＰＤＵとは、周波数、または空間、または時間、またはそれらの組み合わせ、のうちの少なくとも１つにおいて直交であるリソース上で送られる、請求項４０に記載のデバイス。
【請求項４２】
前記ＭＰＤＵの第２のタイプは、制御フィールドを含み、前記ＭＰＤＵの第１のタイプは、前記制御フィールドを除外したものである、請求項３９に記載のデバイス。
【請求項４３】
前記制御フィールドは、前記ＰＰＤＵ中の少なくとも１つのワイヤレスローカルエリアネットワーク（ＷＬＡＮ）フレームに含まれる、請求項４２に記載のデバイス。
【請求項４４】
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、請求項４２に記載のデバイス。
【請求項４５】
前記制御フィールドを含む前記ＭＰＤＵの第２のタイプのうちの少なくとも１つを含むと決定するための手段と、
前記ＭＰＤＵの第２のタイプのうちの前記少なくとも１つの前記制御フィールドが前記複数の制御パラメータのうちの少なくとも他の１つを含めることの後に前記送信電力ヘッドルームパラメータのために十分なリソースを備えるか否かを決定するための手段と
をさらに備える、請求項４２に記載のデバイス。
【請求項４６】
前記局における前記複数の制御パラメータ中の前記１つまたは複数の制御パラメータの優先順位を決定するための手段
をさらに備える、請求項４５に記載のデバイス。
【請求項４７】
前記優先順位は、前記要請フレームのタイプに基づいている、請求項４６に記載のデバイス。
【請求項４８】
局におけるワイヤレス通信のためのコンピュータ実行可能コードを記憶する非一時的コンピュータ可読媒体であって、前記コードは、プロセッサによって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別することと、
第２の局から受信された要請フレームを識別することと、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定すること、前記１つまたは複数のＭＰＤＵは、前記要請フレームによって要請されるＭＰＤＵの第１のタイプを含み、前記ＭＰＤＵの第１のタイプは、前記複数の制御パラメータのうちの１つまたは複数の制御パラメータを除外したものである、と、
前記ＰＰＤＵ中に前記ＭＰＤＵの第１のタイプを含めることの後に前記１つまたは複数の制御パラメータを備えるＭＰＤＵの第２のタイプのための十分なリソースを有するか否かに少なくとも部分的に基づいて、前記１つまたは複数のＭＰＤＵのうちの少なくとも１つにおいて前記複数の制御パラメータのうちの前記１つまたは複数の制御パラメータを含むか否かを決定すること、ここにおいて、前記ＭＰＤＵの第２のタイプは、前記要請フレームによって要請されない、と、
前記第２の局に、前記１つまたは複数のＭＰＤＵを備える前記ＰＰＤＵを送信することと
を行うために実行可能である、非一時的コンピュータ可読媒体。
【請求項４９】
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、請求項４８に記載の非一時的コンピュータ可読媒体。
【請求項５０】
前記ＰＰＤＵの各ＰＰＤＵと、少なくとも１つの他のＰＰＤＵの１つまたは複数のＰＰＤＵとは、周波数、または空間、または時間、またはそれらの組み合わせ、のうちの少なくとも１つにおいて直交であるリソース上で送られる、請求項４９に記載の非一時的コンピュータ可読媒体。
【請求項５１】
第１の局におけるワイヤレス通信のための方法であって、
第２の局に要請フレームを送信することと、
前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、前記要請フレームによって要請されるＭＰＤＵの第１のタイプを含む前記１つまたは複数のＭＰＤＵを受信すること、ここにおいて、前記ＭＰＤＵの第１のタイプは、複数の制御パラメータのうちの１つまたは複数の制御パラメータを除外したものであり、前記要請フレームによって要請されないＭＰＤＵの第２のタイプは、前記複数の制御パラメータのうちの１つまたは複数の制御パラメータを備え、前記複数の制御パラメータは、第２の局の送信電力ヘッドルームパラメータ、または前記第２の局のバッファステータスレポート、または前記第２の局の送信パラメータ、または前記第２の局の受信電力パラメータ、またはチャネル品質情報、またはリンクパラメータ、またはそれらの組み合わせを含み、前記ＭＰＤＵの第２のタイプのうちの１つまたは複数は、前記ＰＰＤＵに前記ＭＰＤＵの第１のタイプを含めることの後に前記１つまたは複数の制御パラメータを備える前記ＭＰＤＵの第２のタイプのための十分なリソースを有する前記ＰＰＤＵのためのリソースの割り振りに少なくとも部分的に基づいて、前記ＭＰＤＵに含まれる、と、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、または前記リンクパラメータ、またはそれらの組み合わせ、のうちの少なくとも１つを識別することと
を備える、方法。
【請求項５２】
前記送信電力ヘッドルームと、前記複数の制御パラメータのうちの少なくとも１つの他のパラメータとは、前記ＭＰＤＵの第２のタイプに含まれる制御フィールドの同じ制御情報サブフィールドにおいて受信される、請求項５１に記載の方法。
【請求項５３】
前記送信電力ヘッドルームは、前記ＭＰＤＵの第２のタイプに含まれる制御フィールドの第１の制御情報サブフィールドにおいて受信され、前記複数の制御パラメータのうちの少なくとも１つの他のパラメータは、前記ＭＰＤＵの第２のタイプに含まれる前記制御フィールドの第２の制御情報サブフィールドにおいて受信される、請求項５１に記載の方法。
【請求項５４】
制御フィールドが受信され、および、前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、請求項５１に記載の方法。
【請求項５５】
前記アップリンクマルチユーザモードが前記第２の局においてディセーブルにされることを、前記送信電力ヘッドルームパラメータから決定することと、
前記送信電力ヘッドルームパラメータを無効と解釈することと
をさらに備える、請求項５４に記載の方法。
【請求項５６】
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、請求項５１に記載の方法。
【請求項５７】
前記送信電力ヘッドルームパラメータは、前記第２の局の最大送信電力とＷＬＡＮフレームのために前記第２の局によって使用される送信電力との間の差のインジケーションを備える、請求項５１に記載の方法。
【請求項５８】
制御フィールドが受信され、および前記第２の局の最大送信電力が前記第１の局によってトリガベースのＰＰＤＵの後続の受信を変動させるだろうか否かの第２のインジケーションを備える、請求項５１に記載の方法。
【請求項５９】
前記ＰＰＤＵで搬送される制御フィールドの制御識別サブフィールドにおいて、前記第２の局が即時肯定応答を搬送するトリガベースのＰＰＤＵのために要請されることを予測する第１のモード、または前記第２の局が前記第２の局の前記送信パラメータを識別する第２のモード、または前記第２の局が前記第２の局の前記受信パラメータを識別する第３のモード、または前記第２の局が前記第２の局の前記送信電力ヘッドルームパラメータを識別する第４のモード、またはそれらの組み合わせ、から選択された少なくとも１つのモードで前記制御フィールドが構成されるというインジケーションを受信すること
をさらに備える、請求項５１に記載の方法。
【請求項６０】
第１の局におけるワイヤレス通信のためのデバイスであって、
プロセッサと、
前記プロセッサと電気通信しているメモリと、
前記メモリ中に記憶された命令と
を備え、前記命令は、前記デバイスに、
第２の局に要請フレームを送信することと、
前記第１の局によって送信された要請フレームに応答して第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、前記要請フレームによって要請されるＭＰＤＵの第１のタイプを含む前記１つまたは複数のＭＰＤＵを受信すること、ここにおいて、前記ＭＰＤＵの第１のタイプは、複数の制御パラメータのうちの１つまたは複数の制御パラメータを除外したものであり、前記要請フレームによって要請されないＭＰＤＵの第２のタイプは、前記複数の制御パラメータのうちの１つまたは複数の制御パラメータを備え、前記複数の制御パラメータは、第２の局の送信電力ヘッドルームパラメータ、または前記第２の局のバッファステータスレポートを識別する第２の情報、または前記第２の局の送信パラメータ、または前記第２の局の受信電力パラメータ、またはチャネル品質情報、またはリンクパラメータ、またはそれらの組み合わせを含み、前記ＭＰＤＵの第２のタイプのうちの１つまたは複数は、前記ＰＰＤＵに前記ＭＰＤＵの第１のタイプを含めることの後に前記１つまたは複数の制御パラメータを備える前記ＭＰＤＵの第２のタイプのための十分なリソースを有する前記ＰＰＤＵのためのリソースの割り振りに少なくとも部分的に基づいて、前記ＭＰＤＵに含まれる、と、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、またはリンクパラメータ、またはそれらの組み合わせ、のうちの少なくとも１つを識別することと
を行わせるように前記プロセッサによって実行可能である、デバイス。
【請求項６１】
前記送信電力ヘッドルームと、前記複数の制御パラメータのうちの少なくとも１つの他のパラメータとは、前記ＭＰＤＵの第２のタイプに含まれる制御フィールドの同じ制御情報サブフィールドにおいて受信される、請求項６０に記載のデバイス。
【請求項６２】
前記送信電力ヘッドルームは、前記ＭＰＤＵの第２のタイプに含まれる制御フィールドの第１の制御情報サブフィールドにおいて受信され、前記複数の制御パラメータのうちの少なくとも１つの他のパラメータは、前記ＭＰＤＵの第２のタイプに含まれる前記制御フィールドの第２の制御情報サブフィールドにおいて受信される、請求項６０に記載のデバイス。
【請求項６３】
制御フィールドが受信され、および前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、請求項６０に記載のデバイス。
【請求項６４】
前記命令は、前記デバイスに、
前記アップリンクマルチユーザモードが前記第２の局においてディセーブルにされることを、前記送信電力ヘッドルームパラメータから決定することと、
前記送信電力ヘッドルームパラメータを無効と解釈することと
を行わせるように前記プロセッサによってさらに実行可能である、請求項６３に記載のデバイス。
【請求項６５】
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、請求項６０に記載のデバイス。
【請求項６６】
前記送信電力ヘッドルームパラメータは、前記第２の局の最大送信電力とＷＬＡＮフレームのために前記第２の局によって使用される送信電力との間の差のインジケーションを備える、請求項６０に記載のデバイス。
【請求項６７】
制御フィールドが受信され、および前記第２の局の最大送信電力が前記第１の局によってトリガベースのＰＰＤＵの後続の受信を変動させるだろうか否かの第２のインジケーションを備える、請求項６０に記載のデバイス。
【請求項６８】
前記命令は、前記デバイスに、
前記ＰＰＤＵで搬送される制御フィールドの制御識別サブフィールドにおいて、
前記第２の局が即時肯定応答を搬送するトリガベースのＰＰＤＵのために要請されることを予測する第１のモード、または前記第２の局が前記第２の局の前記送信パラメータを識別する第２のモード、前記第２の局が前記第２の局の前記受信パラメータを識別する第３のモード、または前記第２の局が前記第２の局の前記送信電力ヘッドルームパラメータを識別する第４のモード、またはそれらの組み合わせ、
から選択される少なくとも１つのモードで前記制御フィールドが構成されるというインジケーションを受信することを行わせるように前記プロセッサによってさらに実行可能である、請求項６０に記載のデバイス。
【請求項６９】
第１の局におけるワイヤレス通信のためのデバイスであって、
第２の局に要請フレームを送信するための手段と、
前記第１の局によって送信された要請フレームに応答して第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、前記要請フレームによって要請されるＭＰＤＵの第１のタイプを含む前記１つまたは複数のＭＰＤＵを受信するための手段、ここにおいて、前記ＭＰＤＵの第１のタイプは、複数の制御パラメータのうちの１つまたは複数の制御パラメータを除外したものであり、前記要請フレームによって要請されないＭＰＤＵの第２のタイプは、前記複数の制御パラメータのうちの１つまたは複数の制御パラメータを備え、前記複数の制御パラメータは、第２の局の送信電力ヘッドルームパラメータ、または前記第２の局のバッファステータスレポートを識別する第２の情報、または前記第２の局の送信パラメータ、または前記第２の局の受信電力パラメータ、またはチャネル品質情報、またはリンクパラメータ、またはそれらの組み合わせを含み、前記ＭＰＤＵの第２のタイプのうちの１つまたは複数は、前記ＰＰＤＵに前記ＭＰＤＵの第１のタイプを含めることの後に前記１つまたは複数の制御パラメータを備える前記ＭＰＤＵの第２のタイプのための十分なリソースを有する前記ＰＰＤＵのためのリソースの割り振りに少なくとも部分的に基づいて、前記ＭＰＤＵに含まれる、と、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、または前記リンクパラメータ、またはそれらの組み合わせ、のうちの少なくとも１つを識別するための手段と
を備える、デバイス。
【請求項７０】
前記送信電力ヘッドルームと、前記複数の制御パラメータのうちの少なくとも１つの他のパラメータとは、前記ＭＰＤＵの第２のタイプに含まれる制御フィールドの同じ制御情報サブフィールドにおいて受信される、請求項６９に記載のデバイス。
【請求項７１】
前記送信電力ヘッドルームは、前記ＭＰＤＵの第２のタイプに含まれる制御フィールドの第１の制御情報サブフィールドにおいて受信され、前記複数の制御パラメータのうちの少なくとも１つの他のパラメータは、前記ＭＰＤＵの第２のタイプに含まれる前記制御フィールドの第２の制御情報サブフィールドにおいて受信される、請求項６９に記載のデバイス。
【請求項７２】
制御フィールドが受信され、および前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、請求項６９に記載のデバイス。
【請求項７３】
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、請求項６９に記載のデバイス。
【請求項７４】
第１の局におけるワイヤレス通信のためのコンピュータ実行可能コードを記憶する非一時的コンピュータ可読媒体であって、前記コードは、プロセッサによって、
第２の局に要請フレームを送信することと、
前記第１の局によって送信された要請フレームに応答して第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、前記要請フレームによって要請されるＭＰＤＵの第１のタイプを含む前記１つまたは複数のＭＰＤＵを受信すること、ここにおいて、前記ＭＰＤＵの第１のタイプは、複数の制御パラメータのうちの１つまたは複数の制御パラメータを除外したものであり、前記要請フレームによって要請されないＭＰＤＵの第２のタイプは、前記複数の制御パラメータのうちの１つまたは複数の制御パラメータを備え、前記複数の制御パラメータは、第２の局の送信電力ヘッドルームパラメータ、または前記第２の局のバッファステータスレポートを識別する第２の情報、または前記第２の局の送信パラメータ、または前記第２の局の受信電力パラメータ、またはチャネル品質情報、またはリンクパラメータ、またはそれらの組み合わせを含み、前記ＭＰＤＵの第２のタイプのうちの１つまたは複数は、前記ＰＰＤＵに前記ＭＰＤＵの第１のタイプを含めることの後に前記１つまたは複数の制御パラメータを備える前記ＭＰＤＵの第２のタイプのための十分なリソースを有する前記ＰＰＤＵのためのリソースの割り振りに少なくとも部分的に基づいて、前記ＭＰＤＵに含まれる、と、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、または前記リンクパラメータ、またはそれらの組み合わせ、のうちの少なくとも１つを識別することと
を行うために実行可能である、非一時的コンピュータ可読媒体。
【請求項７５】
前記送信電力ヘッドルームと、前記複数の制御パラメータのうちの少なくとも１つの他のパラメータとは、前記ＭＰＤＵの第２のタイプに含まれる制御フィールドの同じ制御情報サブフィールドにおいて受信される、請求項７４に記載の非一時的コンピュータ可読媒体。
【請求項７６】
前記送信電力ヘッドルームは、前記ＭＰＤＵの第２のタイプに含まれる制御フィールドの第１の制御情報サブフィールドにおいて受信され、前記複数の制御パラメータのうちの少なくとも１つの他のパラメータは、前記ＭＰＤＵの第２のタイプに含まれる前記制御フィールドの第２の制御情報サブフィールドにおいて受信される、請求項７４に記載の非一時的コンピュータ可読媒体。
【手続補正２】
【補正対象書類名】明細書
【補正対象項目名】０１４８
【補正方法】変更
【補正の内容】
【０１４８】
[0145]  本開示の前述の説明は、当業者が本開示を作成または使用することができるように提供される。本開示への様々な修正は当業者には容易に明らかであり、本明細書で定義した一般原理は、本開示の範囲から逸脱することなく他のバリエーションに適用され得る。この開示全体を通して、「例」または「例示的な」という用語は、例または事例を示し、記載された例に対する任意の選好を暗示または要求するものではない。よって、本開示は、本明細書に説明される例および設計に制限されるものではなく、本明細書に開示された原理および新規な特徴に合致する最も広い範囲が与えられるべきものである。
以下に、本願出願の当初の特許請求の範囲に記載された発明を付記する。
［Ｃ１］
局におけるワイヤレス通信のための方法であって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別することと、
第２の局から受信された要請フレームを識別することと、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定することと、
リソースの前記割り振りに少なくとも部分的に基づいて、前記ＭＰＤＵの少なくとも１つにおいて前記複数の制御パラメータのうちの１つまたは複数の制御パラメータを含むか否かを決定することと、
前記第２の局に、前記１つまたは複数のＭＰＤＵを備える前記ＰＰＤＵを送信することと
を備える、方法。
［Ｃ２］
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、［Ｃ１］に記載の方法。
［Ｃ３］
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、［Ｃ２］に記載の方法。
［Ｃ４］
前記１つまたは複数のＭＰＤＵを含む前記ＰＰＤＵのためのリソースの前記割り振りを決定することは、
リソースの前記割り振りが、制御フィールドを送信するのに十分なリソースを備えるか否かを決定すること
を備える、［Ｃ１］に記載の方法。
［Ｃ５］
前記制御フィールドは、前記ＰＰＤＵ中の少なくとも１つのワイヤレスローカルエリアネットワーク（ＷＬＡＮ）フレームに含まれる、［Ｃ４］に記載の方法。
［Ｃ６］
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、［Ｃ４］に記載の方法。
［Ｃ７］
前記１つまたは複数のＭＰＤＵを含む前記ＰＰＤＵのための前記制御フィールドのためのリソースの前記割り振りを決定することは、
前記制御フィールドが前記送信電力ヘッドルームパラメータのために十分なリソースを備えるか否かを決定すること
を備える、［Ｃ４］に記載の方法。
［Ｃ８］
前記局において前記制御パラメータの優先順位を決定すること
をさらに備える、［Ｃ７］に記載の方法。
［Ｃ９］
前記優先順位は、前記要請フレームの前記タイプに基づいている、［Ｃ８］に記載の方法。
［Ｃ１０］
前記制御パラメータの前記優先順位を決定することは、
前記ＰＰＤＵの制御情報において前記少なくとも１つの送信電力ヘッドルームパラメータを送信するための要求または前記優先順位のうちの少なくとも１つを、前記第２の局から受信すること
を備える、［Ｃ７］に記載の方法。
［Ｃ１１］
前記１つまたは複数の制御パラメータは、前記ＰＰＤＵに含まれる制御フィールドに含まれる、［Ｃ１］に記載の方法。
［Ｃ１２］
前記送信電力ヘッドルームパラメータと、前記複数の制御パラメータのうちの少なくとも１つの他のパラメータとは、前記制御フィールドの同じ制御情報サブフィールドにおいて送信される、［Ｃ１１］に記載の方法。
［Ｃ１３］
前記送信電力ヘッドルームパラメータは、前記制御フィールドの第１の制御情報サブフィールドにおいて送信され、前記複数の制御パラメータのうちの少なくとも１つの他のパラメータは、前記制御フィールドの第２の制御情報サブフィールドにおいて送信される、［Ｃ１１］に記載の方法。
［Ｃ１４］
前記複数の制御パラメータのうちの少なくとも１つにおける変更が識別され、前記制御フィールドは、前記局においてアップリンクマルチユーザモードがディセーブルにされるか否かの第１のインジケーション、または前記局においてＷＬＡＮ通信のために使用可能な送信空間ストリームの最大数の第２のインジケーション、またはそれらの組み合わせ、のうちの少なくとも１つを備える、［Ｃ１１］に記載の方法。
［Ｃ１５］
前記送信電力ヘッドルームパラメータは、トリガベースのＰＰＤＵの現在の変調およびコーディング方式（ＭＣＳ）の最小送信電力が前記局に到達するか否かのインジケーションを備える、［Ｃ１１］に記載の方法。
［Ｃ１６］
前記送信電力ヘッドルームパラメータは、前記局の最大送信電力とＷＬＡＮフレームのために前記局によって使用される送信電力との間の差のインジケーションを備える、［Ｃ１１］に記載の方法。
［Ｃ１７］
前記制御フィールドは、前記局の最大送信電力がトリガベースのＰＰＤＵの後続の送信を変動させるだろうか否かのインジケーションを備える、［Ｃ１１］に記載の方法。
［Ｃ１８］
前記ＰＰＤＵで搬送される前記送信電力ヘッドルームパラメータを備える制御フィールドの制御識別サブフィールドにおいて、前記局が即時肯定応答を搬送するトリガベースのＰＰＤＵのために要請されることを予測する第１のモード、または前記局が前記局の前記送信パラメータを識別する第２のモード、または前記局が前記局の前記受信パラメータを識別する第３のモード、または前記局が前記局の前記送信電力ヘッドルームパラメータを識別する第４のモード、またはそれらの組み合わせ、から選択される少なくとも１つのモードで前記制御フィールドが構成されるというインジケーションを送信すること
をさらに備える、［Ｃ１］に記載の方法。
［Ｃ１９］
前記１つまたは複数のＷＬＡＮフレームが前記要請フレームへの応答として送られるトリガベースのＰＰＤＵで搬送されるとき、前記１つまたは複数のＷＬＡＮフレームに含めるための優先度を前記送信電力ヘッドルームが有すると決定すること
をさらに備える、［Ｃ１８］に記載の方法。
［Ｃ２０］
局におけるワイヤレス通信のためのデバイスであって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別するためのパラメータマネージャと、
第２の局から受信された要請フレームを識別することと、前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定することと、リソースの前記割り振りに少なくとも部分的に基づいて、前記ＭＰＤＵの少なくとも１つにおいて前記複数の制御パラメータのうちの１つまたは複数のパラメータを含むか否かを決定することと、前記第２の局に、前記１つまたは複数のＭＰＤＵを備える前記ＰＰＤＵを送信することと、を行うためのワイヤレスローカルエリアネットワーク（ＷＬＡＮ）フレームマネージャと  を備える、デバイス。
［Ｃ２１］
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、［Ｃ２０］に記載のデバイス。
［Ｃ２２］
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、［Ｃ２１］に記載のデバイス。
［Ｃ２３］
前記ＷＬＡＮフレームマネージャは、リソースの前記割り振りが、制御フィールドを送信するのに十分なリソースを備えるか否かをさらに決定する、［Ｃ２０］に記載のデバイス。
［Ｃ２４］
前記制御フィールドは、前記ＰＰＤＵ中の少なくとも１つのワイヤレスローカルエリアネットワーク（ＷＬＡＮ）フレームに含まれる、［Ｃ２３］に記載のデバイス。
［Ｃ２５］
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、［Ｃ２３］に記載のデバイス。
［Ｃ２６］
前記ＷＬＡＮフレームマネージャは、前記制御フィールドが前記送信電力ヘッドルームパラメータのために十分なリソースを備えるか否かをさらに決定する、［Ｃ２３］に記載のデバイス。
［Ｃ２７］
前記ＷＬＡＮフレームマネージャは、前記局における前記複数の制御パラメータ中の前記制御パラメータの優先順位をさらに決定する、［Ｃ２６］に記載のデバイス。
［Ｃ２８］
前記優先順位は、前記要請フレームの前記タイプに基づいている、［Ｃ２７］に記載のデバイス。
［Ｃ２９］
前記ＷＬＡＮフレームマネージャは、さらに、前記ＰＰＤＵの制御情報において前記少なくとも１つの送信電力ヘッドルームパラメータを送信するための要求または前記優先順位のうちの少なくとも１つを、前記第２の局から受信する、［Ｃ２６］に記載のデバイス。
［Ｃ３０］
前記１つまたは複数の制御パラメータは、前記ＰＰＤＵに含まれる制御フィールドに含まれる、［Ｃ２０］に記載のデバイス。
［Ｃ３１］
前記送信電力ヘッドルームパラメータと、前記複数の制御パラメータのうちの少なくとも１つの他のパラメータとは、前記制御フィールドの同じ制御情報サブフィールドにおいて送信される、［Ｃ３０］に記載のデバイス。
［Ｃ３２］
前記送信電力ヘッドルームパラメータは、前記制御フィールドの第１の制御情報サブフィールドにおいて送信され、前記複数の制御パラメータのうちの少なくとも１つの他のパラメータは、前記制御フィールドの第２の制御情報サブフィールドにおいて送信される、［Ｃ３０］に記載のデバイス。
［Ｃ３３］
前記複数の制御パラメータのうちの少なくとも１つにおける変更が識別され、前記制御フィールドは、前記局においてアップリンクマルチユーザモードがディセーブルにされるか否かの第１のインジケーション、または前記局においてＷＬＡＮ通信のために使用可能な送信空間ストリームの最大数の第２のインジケーション、またはそれらの組み合わせ、のうちの少なくとも１つを備える、［Ｃ３０］に記載のデバイス。
［Ｃ３４］
前記送信電力ヘッドルームパラメータは、トリガベースのＰＰＤＵの現在の変調およびコーディング方式（ＭＣＳ）の最小送信電力が前記局に到達するか否かのインジケーションを備える、［Ｃ３０］に記載のデバイス。
［Ｃ３５］
前記送信電力ヘッドルームパラメータは、前記局の最大送信電力とＷＬＡＮフレームのために前記局によって使用される送信電力との間の差のインジケーションを備える、［Ｃ３０］に記載のデバイス。
［Ｃ３６］
前記制御フィールドは、前記局の最大送信電力がトリガベースのＰＰＤＵの後続の送信を変動させるか否かのインジケーションを備える、［Ｃ３０］に記載のデバイス。
［Ｃ３７］
前記ＷＬＡＮフレームマネージャは、前記ＰＰＤＵで搬送される前記送信電力ヘッドルームパラメータを備える制御フィールドの制御識別サブフィールドにおいて、前記局が即時肯定応答を搬送するトリガベースのＰＰＤＵのために要請されることを予測する第１のモード、または前記局が前記局の前記送信パラメータを識別する第２のモード、または前記局が前記局の前記受信パラメータを識別する第３のモード、または前記局が前記局の前記送信電力ヘッドルームパラメータを識別する第４のモード、またはそれらの組み合わせ、から選択される少なくとも１つのモードで前記制御フィールドが構成されるというインジケーションをさらに送信する、［Ｃ２０］に記載のデバイス。
［Ｃ３８］
前記ＷＬＡＮフレームマネージャは、前記１つまたは複数のＷＬＡＮフレームが前記要請フレームへの応答として送られるトリガベースのＰＰＤＵで搬送されるとき、前記１つまたは複数のＷＬＡＮフレームに含めるための優先度を前記送信電力ヘッドルームが有するとさらに決定する、［Ｃ３７］に記載のデバイス。
［Ｃ３９］
局におけるワイヤレス通信のためのデバイスであって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別するための手段と、
第２の局から受信された要請フレームを識別するための手段と、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定するための手段と、
リソースの前記割り振りに少なくとも部分的に基づいて、前記ＭＰＤＵの少なくとも１つにおいて前記複数の制御パラメータのうちの１つまたは複数の制御パラメータを含むか否かを決定するための手段と、
前記第２の局に、前記１つまたは複数のＭＰＤＵを備える前記ＰＰＤＵを送信するための手段と
を備える、デバイス。
［Ｃ４０］
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、［Ｃ３９］に記載のデバイス。
［Ｃ４１］
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、［Ｃ４０］に記載のデバイス。
［Ｃ４２］
リソースの前記割り振りが、制御フィールドを送信するのに十分なリソースを備えるか否かを決定するための手段
をさらに備える、［Ｃ３９］に記載のデバイス。
［Ｃ４３］
前記制御フィールドは、前記ＰＰＤＵ中の少なくとも１つのワイヤレスローカルエリアネットワーク（ＷＬＡＮ）フレームに含まれる、［Ｃ４２］に記載のデバイス。
［Ｃ４４］
リソースの前記割り振りは、送信の持続時間、または少なくとも１つの周波数リソース、またはスペクトルストリーム割り振り、または変調およびコーディング方式（ＭＣＳ）、またはそれらの組み合わせ、のうちの少なくとも１つを含む１つまたは複数のパラメータによって、前記要請フレームに示される、［Ｃ４２］に記載のデバイス。
［Ｃ４５］
前記制御フィールドが前記送信電力ヘッドルームパラメータのために十分なリソースを備えるか否かを決定するための手段
をさらに備える、［Ｃ４２］に記載のデバイス。
［Ｃ４６］
前記局における前記複数の制御パラメータ中の前記制御パラメータの優先順位を決定するための手段
をさらに備える、［Ｃ４５］に記載のデバイス。
［Ｃ４７］
前記優先順位は、前記要請フレームの前記タイプに基づいている、［Ｃ４６］に記載のデバイス。
［Ｃ４８］
局におけるワイヤレス通信のためのコンピュータ実行可能コードを記憶する非一時的コンピュータ可読媒体であって、前記コードは、プロセッサによって、
前記局の送信電力ヘッドルームパラメータ、前記局のバッファステータスレポート、前記局の送信パラメータ、前記局の受信パラメータ、チャネル品質情報、リンクパラメータ、またはそれらの組み合わせ、のうちの少なくとも１つを含む複数の制御パラメータを識別することと、
第２の局から受信された要請フレームを識別することと、
前記要請フレームに応答して送られるべき１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）のためのリソースの割り振りを決定することと、
リソースの前記割り振りに少なくとも部分的に基づいて、前記ＭＰＤＵの少なくとも１つにおいて前記複数の制御パラメータのうちの１つまたは複数のパラメータを含むか否かを決定することと、
前記第２の局に、前記１つまたは複数のＭＰＤＵを備える前記ＰＰＤＵを送信することと
を行うために実行可能である、非一時的コンピュータ可読媒体。
［Ｃ４９］
前記ＰＰＤＵは、前記第２の局または別の局によって要請されたトリガベースのＰＰＤＵフォーマットにおいて、少なくとも１つの他の局の少なくとも１つの他のＰＰＤＵを用いて送られる、［Ｃ４８］に記載の非一時的コンピュータ可読媒体。
［Ｃ５０］
前記ＰＰＤＵの各ＰＰＤＵと、少なくとも１つの他のＰＰＤＵの前記１つまたは複数のＰＰＤＵとは、周波数、または空間、または時間、またはそれらの組み合わせ、のうちの少なくとも１つにおいて直交であるリソース上で送られる、［Ｃ４９］に記載の非一時的コンピュータ可読媒体。
［Ｃ５１］
第１の局におけるワイヤレス通信のための方法であって、
第２の局に要請フレームを送信することと、
前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信することと、ここにおいて、前記１つまたは複数の制御パラメータは、前記ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、または前記リンクパラメータ、またはそれらの組み合わせ、のうちの少なくとも１つを識別することと  を備える、方法。
［Ｃ５２］
前記送信電力ヘッドルームと、前記複数の制御パラメータのうちの少なくとも１つの他のパラメータとは、制御フィールドの同じ制御情報サブフィールドにおいて受信される、［Ｃ５１］に記載の方法。
［Ｃ５３］
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、［Ｃ５１］に記載の方法。
［Ｃ５４］
制御フィールドが受信され、および、前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、［Ｃ５１］に記載の方法。
［Ｃ５５］
前記アップリンクマルチユーザモードが前記第２の局においてディセーブルにされることを、前記送信電力ヘッドルームパラメータから決定することと、
前記送信電力ヘッドルームパラメータを無効と解釈することと
をさらに備える、［Ｃ５４］に記載の方法。
［Ｃ５６］
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、［Ｃ５１］に記載の方法。
［Ｃ５７］
前記送信電力ヘッドルームパラメータは、前記第２の局の最大送信電力とＷＬＡＮフレームのために前記第２の局によって使用される送信電力との間の差のインジケーションを備える、［Ｃ５１］に記載の方法。
［Ｃ５８］
制御フィールドが受信され、および前記第２の局の最大送信電力が前記第１の局によってトリガベースのＰＰＤＵの後続の受信を変動させるだろうか否かの第２のインジケーションを備える、［Ｃ５１］に記載の方法。
［Ｃ５９］
前記ＰＰＤＵで搬送される制御フィールドの制御識別サブフィールドにおいて、前記第２の局が即時肯定応答を搬送するトリガベースのＰＰＤＵのために要請されることを予測する第１のモード、または前記第２の局が前記第２の局の前記送信パラメータを識別する第２のモード、または前記第２の局が前記第２の局の前記受信パラメータを識別する第３のモード、または前記第２の局が前記第２の局の前記送信電力ヘッドルームパラメータを識別する第４のモード、またはそれらの組み合わせ、から選択された少なくとも１つのモードで前記制御フィールドが構成されるというインジケーションを受信すること
をさらに備える、［Ｃ５１］に記載の方法。
［Ｃ６０］
第１の局におけるワイヤレス通信のためのデバイスであって、
第２の局に要請フレームを送信することと、前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信することと、を行うためのワイヤレスローカルエリアネットワーク（ＷＬＡＮ）フレームと、ここにおいて、前記１つまたは複数の制御パラメータは、前記ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、またはリンクパラメータ、またはそれらの組み合わせ、のうちの少なくとも１つを識別するためのパラメータプロセッサと
を備える、デバイス。
［Ｃ６１］
前記送信電力ヘッドルームと、前記複数の制御パラメータのうちの少なくとも１つの他のパラメータとは、制御フィールドの同じ制御情報サブフィールドにおいて受信される、［Ｃ６０］に記載のデバイス。
［Ｃ６２］
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、［Ｃ６０］に記載のデバイス。
［Ｃ６３］
制御フィールドが受信され、および前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、［Ｃ６０］に記載のデバイス。
［Ｃ６４］
前記ＷＬＡＮフレームプロセッサは、
前記アップリンクマルチユーザモードが前記第２の局においてディセーブルにされることを、前記送信電力ヘッドルームパラメータから決定し、
前記送信電力ヘッドルームパラメータを無効と解釈する、
［Ｃ６３］に記載のデバイス。
［Ｃ６５］
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、［Ｃ６０］に記載のデバイス。
［Ｃ６６］
前記送信電力ヘッドルームパラメータは、前記第２の局の最大送信電力とＷＬＡＮフレームのために前記第２の局によって使用される送信電力との間の差のインジケーションを備える、［Ｃ６０］に記載のデバイス。
［Ｃ６７］
制御フィールドが受信され、および前記第２の局の最大送信電力が前記第１の局によってトリガベースのＰＰＤＵの後続の受信を変動させるだろうか否かの第２のインジケーションを備える、［Ｃ６０］に記載のデバイス。
［Ｃ６８］
前記ＷＬＡＮフレームプロセッサは、前記ＰＰＤＵで搬送される制御フィールドの制御識別サブフィールドにおいて、前記第２の局が即時肯定応答を搬送するトリガベースのＰＰＤＵのために要請されることを予測する第１のモード、または前記第２の局が前記第２の局の前記送信パラメータを識別する第２のモード、前記第２の局が前記第２の局の前記受信パラメータを識別する第３のモード、または前記第２の局が前記第２の局の前記送信電力ヘッドルームパラメータを識別する第４のモード、またはそれらの組み合わせ、から選択される少なくとも１つのモードで前記制御フィールドが構成されるというインジケーションをさらに受信する、［Ｃ６０］に記載のデバイス。
［Ｃ６９］
第１の局におけるワイヤレス通信のためのデバイスであって、
第２の局に要請フレームを送信するための手段と、
前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信するための手段と、ここにおいて、前記１つまたは複数の制御パラメータは、前記ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、または前記リンクパラメータ、またはそれらの組み合わせ、のうちの少なくとも１つを識別するための手段と
を備える、デバイス。
［Ｃ７０］
前記送信電力ヘッドルームと、前記複数の制御パラメータのうちの少なくとも１つの他のパラメータとは、制御フィールドの同じ制御情報サブフィールドにおいて受信される、［Ｃ６９］に記載のデバイス。
［Ｃ７１］
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、［Ｃ６９］に記載のデバイス。
［Ｃ７２］
制御フィールドが受信され、および前記第２の局においてアップリンクマルチユーザモードがディセーブルにされるか否かの第１のインジケーション、または前記第２の局においてＷＬＡＮ通信のために使用可能な送信空間ストリームの最大数の第２のインジケーション、またはそれらの組み合わせ、のうちの少なくとも１つを備える、［Ｃ６９］に記載のデバイス。
［Ｃ７３］
前記送信電力ヘッドルームパラメータは、トリガベースのＰＰＤＵの現在の変調およびコーディング方式（ＭＣＳ）の最小送信電力が前記第２の局に到達するか否かの第２のインジケーションを備える、［Ｃ６９］に記載のデバイス。
［Ｃ７４］
第１の局におけるワイヤレス通信のためのコンピュータ実行可能コードを記憶する非一時的コンピュータ可読媒体であって、前記コードは、プロセッサによって、
第２の局に要請フレームを送信することと、
前記要請フレームに応答して前記第２の局から受信される１つまたは複数の媒体アクセス制御（ＭＡＣ）プロトコルデータユニット（ＭＰＤＵ）を含む物理レイヤコンバージェンスプロトコル（ＰＬＣＰ）パケットデータユニット（ＰＰＤＵ）において、第２の局の送信電力ヘッドルームパラメータ、または前記第２の局のバッファステータスレポート、または前記第２の局の送信パラメータ、または前記第２の局の受信電力パラメータ、チャネル品質情報、リンクパラメータ、またはそれらの組み合わせ、のうちの少なくとも１つを含む１つまたは複数の制御パラメータを受信することと、ここにおいて、前記１つまたは複数の制御パラメータは、ＰＰＤＵのためのリソースの割り振りに少なくとも部分的に基づいて、前記１つまたは複数のＭＰＤＵに含まれる、
前記第２の局の前記少なくとも１つの送信電力ヘッドルームパラメータ、または前記第２の局の前記バッファステータスレポート、または前記第２の局の前記送信パラメータ、または前記第２の局の前記受信パラメータ、または前記チャネル品質情報、またはリンクパラメータ、またはそれらの組み合わせ、のうちの少なくとも１つを識別することと
を行うために実行可能である、非一時的コンピュータ可読媒体。
［Ｃ７５］
前記送信電力ヘッドルームと、前記複数の制御パラメータのうちの少なくとも１つの他のパラメータとは、制御フィールドの同じ制御情報サブフィールドにおいて受信される、［Ｃ７４］に記載の非一時的コンピュータ可読媒体。
［Ｃ７６］
前記送信電力ヘッドルームは、制御フィールドの第１の制御情報サブフィールドにおいて受信され、前記複数の制御パラメータのうちの少なくとも１つの他のパラメータは、前記制御フィールドの第２の制御情報サブフィールドにおいて受信される、［Ｃ７４］に記載の非一時的コンピュータ可読媒体。